(57)【特許請求の範囲】
【請求項１】
泥水や、産業廃液などの液状物を吸上げる装置であって、
多角形の断面形状を有し、その外周側面にスリットを有する枠体内に、
駆動源によって回転するとともに、一回転するうち、一部で先端が枠体のスリットから突出する掻き板が配置してあり、
前記枠体内には、搬送のための吸上げ口が開口していることを特徴とする
液状物の吸上げ装置。
【請求項２】
掻き板は、駆動源によって回転する軸の外周に複数枚取付けられ、吸上げ口近傍にて回転する掻き板は、スリットから突出する掻き板よりも径方向に短尺で、かつ先端部が吸上げ口近くを通過することを特徴とする請求項１記載の液状物の吸上げ装置。
【請求項３】
駆動源によって回転する軸の外周には、液状物を吸上げ口側に送るための螺旋板が設けられていることを特徴とする請求項１又は２記載の液状物の吸上げ装置。
【発明の詳細な説明】
【技術分野】
【０００１】
本発明は、泥水や産業廃液などの液状物を、移送するなどのために吸上げる吸上げ装置に関するものである。
【背景技術】
【０００２】
泥水や産業廃液などの液状物を移したり、搬送などするために、それら液状物を吸上げる装置が開発されている。
例えば特許第３９２６７７７号の発明のように、螺旋状の羽根を外周に有する回転軸を回転し、羽根の回転によって液状物を吸上げ口へ送り込むような構成がある。
この泥水や産業廃液などに混ざっている成分は、必ずしも流動性の高い液状物だけとは限らず、時には岩石や鉄筋などの大きな固形物が混じっていることがある。  
液状物と一緒に、これら岩石や鉄筋などを吸上げると、移送のためのホースが詰まることがあり、それらがソイルセメントなどに混ざると、その性能を低下させることになる。
【０００３】
このような岩石などを取り除く手段として、上記特許発明では、吸上げ口の周囲に、篭状の枠体をフィルターとして配置し、岩石や粘土などの固形物を枠体でくい止めて、吸上げ口から吸上げられないような工夫をしている。
しかしながら、篭のような多数の網目を有する枠体であると、この篭の網目に岩石や粘土成分などが詰まって、吸上げ性能が大きく低下することがある。
また、大きめの岩石などは篭状の枠体でくい止めることができるが、小さめの岩石などは篭の目を通り抜け、この小さめの岩石が吸上げ口に集まると、吸上げ口で互いに噛み合って詰まるブリッジという現象を起すことがあった。
【特許文献１】特許第３９２６７７７号公報
【発明の開示】
【発明が解決しようとする課題】
【０００４】
解決しようとする課題は、岩石などの固形物を取り除くとともに、吸込み口の手前で目詰まりやブリッジ現象が生じないようにし、液状物の吸上げ性能を低下させないことである。
【課題を解決するための手段】
【０００５】
本発明にかかる液状物の吸込み装置は、泥水などの液状物を吸込む装置であって、多角形の断面形状を有し、その外周側面にスリットを有する枠体内に、駆動源によって回転するとともに、一回転するうち、一部で先端部が枠体のスリットから突出する掻き板が配置してあり、前記枠体内には、搬送のための吸上げ口が開口しているものである。
また、本発明にかかる他の液状物の吸上げ装置は、掻き板は、駆動源によって回転する軸の外周に複数枚取付けられ、吸上げ口近傍にて回転する掻き板は、スリットから突出する掻き板よりも径方向に短尺で、かつその先端部が吸上げ口近くを通過するようになっている。
また、本発明にかかる他の液状物の吸上げ装置は、駆動源によって回転する軸の外周には、液状物を吸上げ口側に送るための螺旋板が設けられている。
【発明の効果】
【０００６】
本発明は以上の構成を有し、以下の効果を得ることができる。
＜ａ＞搬送のための吸上げ口の周りは、スリットを有する枠体によって覆ったため、岩石などの大きな固形物は、このスリットによって内側への侵入が妨げられ、ホースなどに詰まるような固形物は排除されて、これらが液状物に混ざったり、ホースが詰まることがない。
＜ｂ＞掻き板が回転するとき、一部で先端部が枠体のスリットから突出するため、スリットに詰まった岩石や粘土などの成分を掻き落とすことができ、吸上げ性能の低下を防ぐことができる。
＜ｃ＞吸上げ口近傍にある掻き板は、その先端部が吸上げ口近くを通過するため、吸上げ口にて噛みあって詰まった小石などを崩し、吸上げ口からの吸上げ性能を低下させない。
＜ｄ＞回転軸の外周に、螺旋板を設けることにより、螺旋板の回転によって液状物を吸上げ口側へ送り、液状物の搬送を可能とする。
＜ｅ＞掻き板そのものにヒネリを与えて、螺旋板の機能も兼ねさせれば、部材を少なくして、液状物の搬送が可能となる。
【実施例１】
【０００７】
以下、図に示す実施例に基づき、本発明を詳細に説明する。
＜１＞枠体
本発明にかかる吸上げ装置Ａは、枠体１の中に、回転駆動する掻き板１０と、螺旋板１１と、吸上げ口９を備えている。
枠体１は、略三角形の二枚の外板２・２が、三角形の隅角部間に渡した３本の枠材３・３・３によって一体に組み上げられている。
従って、枠体１は略三角形の断面形状を備えることになる。
枠体１の三つの外周側面には、枠材３と枠材３との間に、外板２の平面と平行な丸鋼棒４が、適宜間隔づつ離れて複数本づつ固定されている。
つまり、この隣り合う丸鋼棒４間には、スリット５がそれぞれ形成されることになる。
三つの外周側面のうち、ひとつ（図３で下側面）は、ヒンジ結合されて、開閉可能となっている。
【０００８】
＜２＞駆動源
枠体１内には、一方の外板２の外側に、駆動源となる駆動モーター６が取付けられている。
駆動モーター６によって回転する回転軸７が、２枚の外板２・２を貫通して、その外板２・２間に渡されている。
回転軸７が貫通する位置は、外板２の三隅角部から等距離の位置である。
【０００９】
＜３＞吸上げ口
２枚の外枠２のうち、一方の外枠２を貫通して、吸上げパイプ８が枠体１の内側に突出し、吸上げ口９が開口している。
吸上げパイプ８の先端は、回転軸７側に吸上げ口９が開口するようテーパー状に切断されている。
すなわち図２で言えば、吸上げパイプ８の先端部は、先端に行くに従って徐々に上側部分のみに細くなっている。
【００１０】
＜４＞掻き板
前記した外板２・２の間に渡された回転軸７の外周に、複数枚の掻き板１０が適宜間隔づつ離れて固定されている。
この適宜間隔づつというのは、前記した隣合う丸鋼棒４・４間の間隔と同一であって、その固定の位置は、枠体１の丸鋼棒４・４間のスリット５に対応する位置である。
掻き板１０は、平板状の部材であって、隣合う掻き板１０は、その伸びる方向の角度が９０度づつ異なって、回転軸７に固定されている。（図４）
掻き板１０のうち、吸上げパイプ８から離隔した位置に取付けられた掻き板１０ａの回転軸７から先端までの長さは、回転軸７から外板２の隅角部の枠材３までよりも短く、回転軸７から外板２の三辺の中間部までよりも長く形成されている。
このことにより、回転軸７とともに掻き板１０ａが回転すると、枠材３に接触しないが、その一回転の中の一部で、丸鋼棒４・４間のスリット５から、外板２の外周よりも外、つまりは枠体１の外側に突出することになる。（図３）
掻き板１０のうち、吸上げパイプ８近傍側に取付けられた掻き板１０ｂ・１０ｃは、前記した掻き板１０ａよりも短く、回転軸７とともに回転するとき、その先端が吸上げ口９近くを通過するようになっている。
【００１１】
＜５＞螺旋板
前記した複数本の隣合う掻き板１０・１０の間には、螺旋板１１が固定されている。
螺旋板１１は、液状物Ｂを吸上げ口９側に送る部材であって、回転軸７が回転することにより、吸上げ口９側に液状物Ｂを送るよう傾いて固定されている。
螺旋板１１は、回転軸７の軸方向に離れて、その回転軸７の外周に対して、順に９０度づつ固定位置を変えて、固定してある。（図５）
要するに、螺旋板１１は、液状物Ｂを送ることが出来ればよく、螺旋スクリュー翼と同様の作用を果たすものなら、どのような形状や構成のものでよい。
実施例では、螺旋板１１は平板状のものを使用したが、スクリューのように板１１自体にヒネリを与えたような板材も使用可能である。
【００１２】
＜６＞吸上げ作動
図６に示すように、以上のように構成した吸上げ装置Ａにホース１２を繋ぎ、液状物Ｂの中に沈める。
駆動モーター６を駆動して、回転軸７を回転し、螺旋板１１を回転し、液状物Ｌを吸上げ口９側に送る。
吸上げ口９に入った液状物Ｂは、ホース１２の中を搬送され、地上のダンプカー１３などに送られる。
吸上げ口９は、枠体１によって囲まれているため、枠体１のスリット５によって岩石などの侵入が妨げられている。
このスリット５に小石や粘土が詰まっても、掻き板１０ａがスリット５から突出してそれらを掻き落とすため、液状物Ｂの流入が妨げられることがない。
また、吸上げ口９近くを、掻き板１０ｂ・１０ｃの先端部が通過するため、吸上げ口９にて小石などが噛み合っても、これを掻き板１０ｂ・１０ｃが掻き崩して、吸上げ口９が塞がれることがない。
【００１３】
＜他の実施の形態＞
以上の実施の形態では、掻き板１０と螺旋板１１の双方を採用したが、掻き板１０に螺旋板の機能も兼用させ、掻き板１０自体を傾斜して固定、或いはスクリュー状にヒネリを与えて、掻き落とす作用と、液状物Ｂを送る作用の双方を行えるようにしてもよい。
【図面の簡単な説明】
【００１４】
【図１】吸上げ装置の斜視図である。
【図２】吸上げ装置の断面図である。
【図３】吸上げ装置の正面図である。
【図４】掻き板の正面図である。
【図５】掻き板と螺旋板の取付け状態の側面図である。
【図６】吸上げ装置の使用状態の説明図である。
【符号の説明】
【００１５】
Ａ：吸上げ装置
Ｂ：液状物
１：枠体
２：外板
３：枠材
４：丸鋼棒
５：スリット
６：駆動モーター
７：回転軸
８：吸上げパイプ
９：吸上げ口
１０：掻き板
１１：螺旋板
１２：ホース
【図１】
0005069508.tif 000002
【図２】
0005069508.tif 000003
【図３】
0005069508.tif 000004
【図４】
0005069508.tif 000005
【図５】
0005069508.tif 000006
【図６】
0005069508.tif 000007